(57)【要約】【課題】  ４０Ｇｂｐｓ以上の変調速度を支援することができる周波数偏移変調方式の光送信装置及び方法を提供する。【解決手段】  本発明による周波数偏移変調方式の光送信装置３００は、第１の周波数(ｆ１)の第１のトーン信号と、第２の周波数(ｆ２)の第２のトーン信号と、を生成する光生成部３１０と、入力データに従って、前記光生成部３１０から入力された第１及び第２のトーン信号の内の一つを選択的に出力する変調器３５０を有する光変調部３４０と、を含む。【選択図】  図３
2006050614.tif 000002
【特許請求の範囲】
【請求項１】
第１の周波数(f１)の第１のトーン信号と、第２の周波数(f２)の第２のトーン信号と、を生成するように設けられた光生成部と、
入力データに従って、前記光生成部から入力された第１及び第２のトーン信号の内の一つを選択的に出力するように設けられた変調器を有する光変調部と、
を含むことを特徴とする周波数偏移変調方式の光送信装置。
【請求項２】
前記光生成部は、基準周波数(f０)を有する光信号を生成する光源と、
駆動信号に従って、前記光信号から、第１の周波数(f１)の第１のトーン信号と第２の周波数(f２)の第２のトーン信号とを有するＣＳＲＺ(ｃａｒｒｉｅｒ-ｓｕｐｐｒｅｓｓｅd ｒｅｔｕｒｎ-ｔｏ-ｚｅｒｏ)信号を生成する変調器と、
を含むことを特徴とする請求項１に記載の周波数偏移変調方式の光送信装置。
【請求項３】
前記光源は、連続発振レーザーを含むことを特徴とする請求項２に記載の周波数偏移変調方式の光送信装置。
【請求項４】
前記光生成部の前記変調器は、同一の長さの第１及び第２のアームを有する対称形マッハツェンダー変調器を含むこと
を特徴とする請求項２に記載の周波数偏移変調方式の光送信装置。
【請求項５】
前記駆動信号は、前記データのクロック周波数(ｆｄ)の１/２に該当する周波数を有するクロック信号であることを特徴とする請求項２に記載の周波数偏移変調方式の光送信装置。
【請求項６】
前記第１の周波数は(ｆ０-ｆｄ/２)であり、前記第２の周波数は(ｆ０+ｆｄ/２)であることを特徴とする請求項２に記載の周波数偏移変調方式の光送信装置。
【請求項７】
前記光変調部の前記変調器は、相異なる長さの第１及び第２のアームを有する非対称形マッハツェンダー変調器を含むこと
を特徴とする請求項１に記載の周波数偏移変調方式の光送信装置。
【請求項８】
前記第１及び第２のアームの長さの差は、前記データの１/２ビットに相当することを特徴とする請求項７に記載の周波数偏移変調方式の光送信装置。
【請求項９】
前記光変調部の前記変調器の透過度は、波長の変化に従って、２ビットを周期として高低を繰り返すサイン波形を示すこと
を特徴とする請求項８に記載の周波数偏移変調方式の光送信装置。
【請求項１０】
前記光変調部の前記変調器は、印加される電圧レベルによって波長シフトする波長応答特性を有し、入力データのビットが‘０’である場合には前記第１のトーン信号を選択的に出力し、入力データのビットが‘１’である場合には前記第２のトーン信号を選択的に出力すること
を特徴とする請求項９に記載の周波数偏移変調方式の光送信装置。
【請求項１１】
前記光生成部は、第１の周波数(ｆ１)の第１のトーン信号を出力するための第１の光源と、
第２の周波数(ｆ２)の第２のトーン信号を出力するための第２の光源と、
前記第１及び第２のトーン信号を結合して出力するための光結合器と、
を含むことを特徴とする請求項１に記載の周波数偏移変調方式の光送信装置。
【請求項１２】
前記第１及び第２の光源は、各々連続発振レーザーを含むこと
を特徴とする請求項１１に記載の周波数偏移変調方式の光送信装置。
【請求項１３】
‘０’ビットを表す第１のトーン信号と‘１’ビットを表す第２のトーン信号を生成する光生成過程と、
入力データのビットが‘０’である場合には前記第１のトーン信号を選択的に出力し、入力データのビットが‘１’である場合には前記第２のトーン信号を選択的に出力する光変調過程と、
を含むことを特徴とする周波数偏移変調方式の光送信方法。
【請求項１４】
前記光生成過程は、光信号を生成する第１のサブ過程と、
前記光信号から‘０’ビットを表す第１の周波数の第１のトーン信号と‘１’ビットを表す第２の周波数の第２のトーン信号とを有するＣＳＲＺ(ｃａｒｒｉｅｒ-ｓｕｐｐｒｅｓｓｅｄ ｒｅｔｕｒｎ-ｔｏ-ｚｅｒｏ)信号を生成する第２のサブ過程と、
を含むことを特徴とする請求項１３に記載の周波数偏移変調方式の光送信方法。
【請求項１５】
前記光生成過程は、第１の周波数の第１のトーン信号を生成する第１のサブ過程と、
第２の周波数の第２のトーン信号を生成する第２のサブ過程と、
前記第１及び第２のトーン信号を結合する第３のサブ過程と、
を含むことを特徴とする請求項１３に記載の周波数偏移変調方式の光送信方法。
【発明の詳細な説明】
【技術分野】
【０００１】
本発明は、光送信装置及び方法に関し、特に、周波数偏移変調(ＦＳＫ）方式の光送信装置及び方法に関する。
【背景技術】
【０００２】
周波数偏移変調(ＦＳＫ：ｆｒｅｑｕｅｎｃｙ-ｓｈｉｆｔ-ｋｅｙｉｎｇ)方式は、光信号の周波数に情報を載せる変調方式である。ＦＳＫ方式は、最近注目されている位相変調(ＰＳＫ：Ｐｈａｓｅ-ｓｈｉｆｔ-ｋｅｙｉｎｇ)方式と同様に、高い受信感度を有し(すなわち、既存のオン/オフ変調(ｏｎ-ｏｆｆ ｋｅｙｉｎｇ) 方式に比べて約３ｄＢ程度高い。)、また、強い光ファイバー非線形性許容値を有している。そして、ＦＳＫ方式では、情報が光信号の強度ではなく周波数に載せられるので、光ファイバーのカー非線形性(Ｋｅｒｒ ｎｏｎｌｉｎｅａｒｉｔｙ)による影響をほとんど受けない。また、ＦＳＫ方式は、信号の搬送波(ｃａｒｒｉｅｒ)周波数成分が抑制されるので、ブリュアン(Ｂｒｉｌｌｏｕｉｎ)非線形効果にも強い。最近のコンピュータシミュレーション(ｃｏｍｐｕｔｅｒ ｓｉｍｕｌａｔｉｏｎ)結果によれば、光ファイバー非線形性につき、周波数偏移変調方式は位相変調方式よりも一層強いということが判明している。これは信号を再生（reproduction）すること無しに一層遠い距離に伝送できるということを意味するので、このような性質を利用して、長距離光伝送システムを一層経済的に構築することができる。
【０００３】
ＦＳＫ信号を生成するためには、電気データ信号(ｅｌｅｃｔｒｉｃ ｄａｔａ ｓｉｇｎａｌ)によって異なった光周波数を発生することができる装置が必要となる。ＦＳＫ信号を発生させるための従来の方法としては、レーザーダイオード(ｌａｓｅｒ ｄｉｏｄｅ)のチャーピング(ｃｈｉｒｐｉｎｇ)を用いていた。すなわち、レーザーダイオードから出力される光信号の周波数は、該レーザーダイオードに印加される電流量に従って変化する。従って、このレーザーダイオードの特性を利用してＦＳＫ信号を発生させることができる。
【０００４】
図１は、従来の典型的な周波数偏移変調方式による光送信装置の第１の構成例を示す回路図である。かかる従来の光送信装置１００は、分布帰還型レーザー(ＤＦＢ：ｄｉｓｔｒｉｂｕｔｅｄ ｆｅｅｄｂａｃｋ ｌａｓｅｒ)１１０と、バイアスティー回路(ｂｉａｓ-ｔｅｅｃｉｒｃｕｉｔ)１２０と、を含む。
【０００５】
分布帰還型レーザー１１０は、データ端子を介して入力されるデータ信号によって、相異なる周波数の二つのトーン信号(ｔｏｎｅ ｓｉｇｎａｌ)を生成する。すなわち、分布帰還型レーザー１１０は、入力データが‘０’ビットである場合には第１のトーン信号を生成し、入力データが‘１’ビットである場合には第２のトーン信号を生成する。これは、入力データの強度によって、分布帰還型レーザー１１０の出力周波数及び強度が変化するという特性を利用したものである。詳しくは、分布帰還型レーザー１１０には、データ端子を介してデータ信号が入力されると共に、一定の電流値を有するバイアス信号(ｂｉａｓ ｓｉｇｎａｌ)がバイアス端子を介して入力される。このような直接変調方式を利用する場合には、分布帰還型レーザー１１０の出力周波数だけではなく出力強度も変調されるので、出力信号の歪曲(ｄｉｓｔｏｒｔｉｏｎ)が発生する。
【０００６】
バイアスティー回路１２０は、交流成分を遮断するためにバイアス端子と分布帰還型レーザー１１０との間に配置されるインダクター(Ｌ：ｉｎｄｕｃｔｏｒ)１３０と、直流成分を遮断するためにデータ端子と分布帰還型レーザー１１０との間に配置されるコンデンサー(Ｃ：ｃｏｎｄｅｎｓｅｒ)１４０と、を含む。
【０００７】
図２は、従来の典型的な周波数偏移変調方式による光送信装置の第２の構成例を示す回路図である。
【０００８】
従来の第２の例による光送信装置２００は、分布帰還型レーザー２１０と、強度変調器(ＭＯＤ：ｉｎｔｅｎｓｉｔｙ ｍｏｄｕｌａｔｏｒ)２６０と、反転増幅器(ｉｎｖｅｒｔｉｎｇ ａｍｐｌｉｆｉｅｒ)２５０と、バイアスティー回路２２０と、を含む。
【０００９】
分布帰還型レーザー２１０は、データ端子を介して入力されるデータ信号に従って、相異なる周波数の二つのトーン信号を生成する。すなわち、分布帰還型レーザー２１０は、入力データが‘０’ビットである場合には第１のトーン信号を生成し、入力データが‘１’ビットである場合には第２のトーン信号を生成する。また、上記例と同様に、分布帰還型レーザー２１０には、データ信号と共に、一定の電流値を有するバイアス信号が入力される。
【００１０】
反転増幅器２５０は、データ端子から入力されたデータ信号を反転して、該反転データ信号(ｉｎｖｅｒｔｅｄ ｄａｔａ ｓｉｇｎａｌ)を強度変調器２６０に出力する。
【００１１】
強度変調器２６０は、入力された反転データ信号に従って、分布帰還型レーザー２１０から入力されたトーン信号の強度を変化させる。即ち、強度変調器２６０は、分布帰還型レーザー２１０に入力されるデータ信号の強度変化による出力信号の歪曲を、反転データ信号を利用して相殺させる。したがって、強度変調器２６０の出力信号は、該出力信号の周波数と関係なく強度が一定になる。
【００１２】
バイアスティー回路２２０は、交流成分を遮断するためにバイアス端子と分布帰還型レーザー２１０との間に配置されるインダクター(Ｌ)２３０と、直流成分を遮断するためにデータ端子と分布帰還型レーザー２１０との間に配置されるコンデンサー(Ｃ)２４０と、を含む。
【００１３】
この第２の従来例による光送信装置２００は、上述した第１の従来例による光送信装置１００と比較して出力信号の強度歪曲が少ないという利点がある。しかしながら、ここでも直接変調方式を使用していることから、光送信装置２００は、変調速度における制限がある。通常、レーザーの変調帯域幅は、レーザーの緩和振動周波数(ｒｅｌａｘａｔｉｏｎ ｏｓｃｉｌｌａｔｉｏｎ ｆｒｅｑｕｅｎｃｙ)により決定される。ここで、緩和振動周波数は、レーザーのバイアス電流の平方根(ｓｑｕａｒｅ ｒｏｏｔ)により増加するが、一般に２０ＧＨｚ未満である。したがって、４０Ｇｂｐｓ以上の高速伝送システムには緩和振動周波数の適用が困難である。また、レーザーのチャーピングにより発生した光周波数は、印加される電流の形態とは多少差が生じる（すなわち、印加される電流の強さを線形的に変化させたときに、光周波数が非線形的に変化する現象が生じる）ので、このような光周波数からチャーピングの少ない整ったＦＳＫ信号を発生させることが困難である、といった問題点があった。
【発明の開示】
【発明が解決しようとする課題】
【００１４】
本発明は、上述したような従来技術の問題点を解決するためになされたもので、その目的は、４０Ｇｂｐｓ以上の変調速度を支援することができる周波数偏移変調方式の光送信装置及び方法を提供することにある。
【課題を解決するための手段】
【００１５】
上記課題を解決するための本発明による周波数偏移変調方式の光送信装置は、第１の周波数(f１)の第１のトーン信号と、第２の周波数(f２)の第２のトーン信号と、を生成するように設けられた光生成部と、入力データに従って、前記光生成部から入力された第１及び第２のトーン信号の内の一つを選択的に出力するように設けられた変調器を有する光変調部と、を含むことを特徴とする。
【００１６】
また、上記課題を解決するための本発明による周波数偏移変調方式の光送信方法は、‘０’ビットを表す第１のトーン信号と‘１’ビットを表す第２のトーン信号を生成する光生成過程と、入力データのビットが‘０’である場合には前記第１のトーン信号を選択的に出力し、入力データのビットが‘１’である場合には前記第２のトーン信号を選択的に出力する光変調過程と、を含むことを特徴とする。
【発明の効果】
【００１７】
本発明によれば、直接変調方式ではない外部変調方式を用いることにより、４０Ｇｂｐｓ以上の高速信号生成用に使用することが可能となり、さらに、周波数偏移変調方式を用いることにより、チャーピング及び信号歪曲が発生しない最適のＦＳＫ信号を発生させることが可能となるので、光伝送システムの性能を向上させる利点がある。
【発明を実施するための最良の形態】
【００１８】
以下、本発明の好適な実施形態について添付図面を参照しつつ詳細に説明する。下記の説明において、本発明の要旨のみを明確にする目的で、関連した公知機能又は構成に関する具体的な説明は省略する。
【００１９】
図３は、本発明の好ましい第１の実施形態による周波数偏移変調方式の光送信装置を示すブロック図である。第１の実施形態による光送信装置３００は、光生成部(ｌｉｇｈｔ ｇｅｎｅｒａｔｏｒ)３１０と、光変調部(ｌｉｇｈｔ ｍｏｄｕｌａｔｏｒ)３４０と、を含む。
【００２０】
光生成部３１０は、相異なる周波数の第１及び第２のトーン信号を生成する。本実施形態では、光生成部３１０は、第１及び第２のトーン信号を有するＣＳＲＺ(ｃａｒｒｉｅｒ-ｓｕｐｐｒｅｓｓｅd ｒｅｔｕｒｎ-ｔｏ-ｚｅｒｏ)信号を生成する。
【００２１】
光生成部３１０は、光源(ｌｉｇｈｔ ｓｏｕｒｃｅ)３２０と、第１の変調器(ＭＯＤ１)３３０と、を含む。
【００２２】
光源３２０は、連続発振レーザー(ＣＷ：ｃｏｎｔｉｎｕｏｕｓ ｗａｖｅ ｌａｓｅｒ)を含み、基準周波数(ｆ０)を有する光信号を連続的に出力する。
【００２３】
第１の変調器３３０は、互いに等しい長さの第１及び第２のアーム(ａｒｍ)を有する対称形マッハツェンダー変調器(ｓｙｍｍｅｔｒｉｃ Ｍａｃｈ-Ｚｅｈｎｄｅｒ ｍｏｄｕｌａｔｏｒ)を含む。対称形マッハツェンダー変調器の一例としては、Ｘ-ｃｕｔ ＬｉＮｂＯ３マッハツェンダー変調器を使用することができる。ここで、第１及び第２のアームの間には、駆動信号が印加される加熱電極(ｈｅａｔ ｅｌｅｃｔｒｏｄｅ)が配置され、第１及び第２のアーム各々の外側には、接地(ｇｒｏｕｎｄ)が配置される。第１の変調器３３０は、光源３２０からの光信号と、クロック端子を介して供給される駆動信号と、を受信する。ここで、駆動信号は、クロック信号(ｃｌｏｃｋ ｓｉｇｎａｌ)であって、データのクロック周波数(ｆｄ)の１/２に該当する周波数(ｆｄ/２)を有する。そして、第１の変調器３３０は、入力された駆動信号（クロック信号）に従って、光源３２０より受信した光信号から、第１の周波数(ｆ１)を有する第１のトーン信号と第２の周波数(ｆ２)を有する第２のトーン信号とを有するＣＳＲＺ信号(ｃａｒｒｉｅｒ-ｓｕｐｐｒｅｓｓｅｄ ｒｅｔｕｒｎ-ｔｏ-ｚｅｒｏ ｓｉｇｎａｌ)を生成する。このとき、第１の周波数は(ｆ０-ｆｄ/２)であり、第２の周波数は(ｆ０+ｆｄ/２)である。第１のトーン信号は‘０’ビットを表し、第２のトーン信号は‘１’ビットを表す。但し、これは選択的な事項であって、例えば、第１のトーン信号が‘１’ビットを表し、第２のトーン信号が‘０’ビットを表すようにすることもできる。
【００２４】
図３に示すように、光変調部３４０は、第２の変調器(ＭＯＤ２)３５０を備えており、データ端子を介して（外部ブロックから）入力される入力データに従って、光生成部３１０より入力されたＣＳＲＺ信号から、第１または第２のトーン信号を選択的に出力する。
【００２５】
第２の変調器３５０は、相異なる長さの第１及び第２のアームを有する非対称形マッハツェンダー変調器(ａｓｙｍｍｅｔｒｉｃ Ｍａｃｈ-Ｚｅｈｎｄｅｒ ｍｏｄｕｌａｔｏｒ)を含む。非対称形マッハツェンダー変調器の一例としては、Ｘ-ｃｕｔＬｉＮｂＯ３マッハツェンダー変調器を使用することができる。ここで、第１及び第２のアームの間には、データ信号が印加される加熱電極が配置され、第１及び第２のアーム各々の外側には接地(ｇｒｏｕｎｄ)が配置される。第１及び第２のアームの長さの差は、１/２ビットに相当する。例えば、変調速度が４０Ｇｂｐｓである場合には、ビット時間が２５ｐｓであるので、第１のアームと第２のアームとの長さの差は、１２.５ｐｓに相当する。
【００２６】
図４は、図３に示した第２の変調器３５０の波長応答特性を示すグラフである。図４に示すように、第２の変調器３５０の波長応答特性は、サイン(ｓｉｎｅ)波形の形態を示す。即ち、第２の変調器３５０の透過度(ｔｒａｎｓｍｉｔｔａｎｃｅ)は、波長の変化に従って、周期的に高低を繰り返すサイン波形を示す。第２の変調器３５０の波長応答特性の周期は、第１及び第２のアームの長さの差により決定される。この長さの差は上述のように１/２ビットに相当するので、第２の変調器３５０の波長応答特性の周期は２ビット(２ｂｉｔ ｄｕｒａｔｉｏｎ)、すなわち２ビット時間に該当する波長変化量を周期としている。第２の変調器３５０の波長応答特性は、広帯域の増幅自発放出光(ｂｒｏａｄｂａｎｄ ＡＳＥ：ｂｒｏａｄｂａｎｄ ａｍｐｌｉｆｉｅｄ ｓｐｏｎｔａｎｅｏｕｓ ｅｍｉｓｓｉｏｎ)を出力するエルビウム添加光ファイバー増幅器(ＥＤＦＡ：ｅｒｂｉｕｍ ｄｏｐｅｄ ｆｉｂｅｒ ａｍｐｌｉｆｉｅｒ)または波長可変レーザー(ｗａｖｅｌｅｎｇｔｈ ｔｕｎａｂｌｅ ｌａｓｅｒ)を使って測定することができる。
【００２７】
また、図３を参照すれば、第２の変調器３５０は、第１の変調器３３０からのＣＳＲＺ信号と、データ端子を介して（外部ブロックから）供給されるデータ信号と、を受信（入力）し、該入力データによって、第１または第２のトーン信号を選択的に出力する。即ち、第２の変調器３５０は、入力データのビットが‘０’である場合には第１のトーン信号を選択的に出力し、入力データのビットが‘１’である場合には第２のトーン信号を選択的に出力する。第２の変調器３５０は、印加される電圧レベルによって波長シフト（wavelength-shift）する波長応答特性を有している。具体的には、第２の変調器３５０の波長応答特性は、‘０’ビットと‘１’ビットの電圧レベル差に対して‘１’ビットに該当する波長変化量で波長シフトする。
【００２８】
図５は、図３に示した第２の変調器３５０の波長応答特性の波長シフトを説明するためのグラフである。図５には、‘０’ビットが印加された場合の波長応答特性４３０と、‘１’ビットが印加された場合の波長応答特性４４０と、第１のトーン信号４１０及び第２のトーン信号４２０が示されている。第２の変調器３５０に‘０’ビットが印加された場合には、波長応答特性４３０の最大透過点と第１のトーン信号４１０が一致し、波長応答特性４３０の最小透過点と第２のトーン信号４２０が一致するので、第２の変調器３５０は、第１の周波数の第１のトーン信号４１０を選択的に出力する。一方、第２の変調器３５０に‘１’ビットが印加された場合には、波長応答特性４４０の最大透過点と第２のトーン信号４２０が一致し、波長応答特性４４０の最小透過点と第１のトーン信号４１０が一致するので、第２の変調器３５０は、第２の周波数の第２のトーン信号４２０を選択的に出力する。
【００２９】
図６は、本発明の好ましい第２の実施形態による周波数偏移変調方式の光送信装置を示すブロック図である。第２の実施形態による光送信装置５００は、光生成部５１０と、光変調部５５０と、を含む。光送信装置５００は、図３に示された光送信装置３００と比べて、光生成部５１０の構成だけが相違し、他は同等であるため、重複となる説明は適宜省略する。
【００３０】
光生成部５１０は、第１及び第２の光源５２０，５３０と、光結合器(ＯＣ：ｏｐｔｉｃａｌ ｃｏｕｐｌｅｒ)５４０と、を含み、相異なる周波数の第１及び第２のトーン信号を出力する。第１の光源５２０は、第１の周波数(ｆ１)の第１のトーン信号を出力し、第２の光源５３０は、第２の周波数(ｆ２)の第２のトーン信号を出力する。第１及び第２の光源５２０，５３０は、各々既設定された周波数を有する光信号を連続的に出力するための連続発振レーザー(ＣＷ１，ＣＷ２)を含む。光結合器５４０は、第１乃至第３のポート(５４０.１乃至５４０.３)を有しており、第１のポート５４０.１は第１の光源５２０と連結され、第２のポート５４０.２は第２の光源５３０と連結され、第３のポート５４０.３は光変調部５５０と連結される。光結合器５４０は、第１のポート５４０.１に入力された第１のトーン信号と第２のポート５４０.２に入力された第２のトーン信号とを結合し、該結合されたトーン信号を第３のポート５４０.３に出力する。光結合器５４０は、波長選択結合器(ＷＳＣ：ｗａｖｅｌｅｎｇｔｈ ｓｅｌｅｃｔｉｖｅ ｃｏｕｐｌｅｒ)や、波長分割多重化器(ＷＤＭ：ｗａｖｅｌｅｎｇｔｈ ｄｉｖｉｓｉｏｎ ｍｕｌｔｉｐｌｅｘｅｒ)などを含む。
【００３１】
光変調部５５０は、光結合器５４０の第３のポート５４０.３と連結された変調器５６０を備えており、データ端子を介して（外部ブロックから）入力される入力データに従って、光生成部５１０から入力された第１及び第２のトーン信号の内の一つを選択的に出力する。
【００３２】
変調器５６０は、相異なる長さの第１及び第２のアームを有する非対称形マッハツェンダー変調器を含む。非対称形マッハツェンダー変調器の例として、Ｘ-ｃｕｔＬｉＮｂＯ３マッハツェンダー変調器を使用することができる。ここで、第１及び第２のアームの間には、データ信号が印加される加熱電極が配置され、第１及び第２のアーム各々の外側には接地(ｇｒｏｕｎｄ)が配置される。第１及び第２のアームの長さの差は、１/２ビットに相当する。例えば、変調速度が４０Ｇｂｐｓの場合にはビット時間が２５ｐｓなので、第１のアームと第２のアームとの長さの差は、１２.５ｐｓに相当する。変調器５６０は、入力データのビットが‘０’である場合には第１のトーン信号を選択的に出力し、入力データのビットが‘１’である場合には第２のトーン信号を選択的に出力する。変調器５６０の波長応答特性は、印加される電圧レベルに従って波長シフトする。具体的には、変調器５６０の波長応答特性は、‘０’ビットと‘１’ビットの電圧レベル差に対して‘１’ビットに該当する波長変化量にて波長シフトする。
【００３３】
以上、本発明を具体的な実施形態に則して詳細に説明したが、形式や細部についての種々の変更が、特許請求の範囲の記載により規定されるような本発明の精神及び範囲から逸脱することなく行われることが可能であることは、当該技術分野における通常の知識を有する者には明らかである。従って、本発明の範囲は、前述の実施形態に限定されるものではなく、特許請求の範囲の記載及びこれと均等なものに基づいて定められるべきである。
【図面の簡単な説明】
【００３４】
【図１】従来の典型的な周波数偏移変調方式の光送信装置の第１の構成例を示す回路図である。
【図２】従来の典型的な周波数偏移変調方式の光送信装置の第２の構成例を示す回路図である。
【図３】本発明の第１の実施形態による周波数偏移変調方式の光送信装置を示すブロック図である。
【図４】図３に示された第２の変調器の波長応答特性を示すグラフである。
【図５】図３に示された第２の変調器の波長応答特性の波長シフトを説明するためのグラフである。
【図６】本発明の第２の実施形態による周波数偏移変調方式の光送信装置を示すブロック図である。
【符号の説明】
【００３５】
３００  光送信装置
３１０  光生成部
３４０  光変調部
３２０  光源
３３０  第１の変調器
３５０  第２の変調器
５００  光送信装置
５１０  光生成部
５２０  第１の光源
５３０  第２の光源
５４０  光結合器
５５０  光変調部
５６０  変調器
【図１】
2006050614.tif 000003
【図２】
2006050614.tif 000004
【図３】
2006050614.tif 000005
【図４】
2006050614.tif 000006
【図５】
2006050614.tif 000007
【図６】
2006050614.tif 000008